【手続補正書】
【提出日】平成28年2月25日(2016.2.25)
【手続補正１】
【補正対象書類名】特許請求の範囲
【補正対象項目名】全文
【補正方法】変更
【補正の内容】
【特許請求の範囲】
【請求項１】
眼鏡レンズの表面に加工治具であるカップを取り付けるためのカップ取り付けユニットを有する装置であって、
レンズチャック軸に保持された眼鏡レンズの周縁を加工する加工具を有するレンズ加工機構が配置された筐体を有する加工装置本体と、
前記筐体に配置されたディスプレイと、
前記ディスプレイの画面を次の作業工程の画面に切換える切換え信号を入力する信号入力手段と、
前記ディスプレイの画面の表示を制御する制御手段であって、前記切換え信号の入力に基づき、前記カップ取り付けユニットによるカップの取付け作業段階を示す画面から、前記レンズ加工機構によるレンズの加工を実行可能な段階に移行したことを示す画面へ切換える制御手段と、
を備えることを特徴とするカップ取り付けユニットを有する装置。
【請求項２】
請求項１のカップ取り付けユニットを有する装置において、
前記制御手段は、前記切換え信号の入力に基づき、前記カップ取り付けユニットによるカップの取付け作業の段階に移行したことを示す画面から前記レンズ加工機構によるレンズの加工を実行可能な段階に移行したことを示す画面の順序で切換えて前記ディスプレイに表示させることを特徴とするカップ取り付けユニットを有する装置。
【請求項３】
請求項1又は２のカップ取り付けユニットを有する装置において、
前記加工装置本体は、前記レンズ加工機構が搭載されるベースを有し、
前記カップ取り付けユニットは、前記ベースに搭載され、前記加工装置本体に一体的に配置されていることを特徴とするカップ取り付けユニットを有する装置。
【請求項４】
請求項１〜３のいずれかのカップ取り付けユニットを有する装置において、
前記カップ取り付けユニットは、
上下方向に延びる基準軸上にレンズを支持するために配置されたレンズ支持部と、
カップの基部が装着される装着部が取り付けられた支持アームと、
前記装着部が、前記レンズ支持部が配置された下方向である第１方向と、装置に対して操作者が位置する前方向又は上方向である第２方向と、に向くように、前記支持アームを前記基準軸の直交方向に延びる軸を中心にして回転可能に保持する移動アームであって、前記基準軸の方向である上下方向に移動可能にされた移動アームと、
前記装着部が第２方向から第１方向に向くように前記支持アームを回転させるために、操作者が操作するレバーであって、前記支持アームに配置され、前記装着部が第１方向に向いた後に、操作者が前記移動アームと共に前記装着部を下降させるための操作部材を兼ねるレバーと、
を有することを特徴とするカップ取り付けユニットを有する装置。
【請求項５】
眼鏡レンズの表面に加工治具であるカップを取り付けるためのカップ取り付けユニットを有する装置において、
前記カップ取り付けユニットは、
上下方向に延びる基準軸上にレンズを支持するために配置されたレンズ支持部と、
カップの基部が装着される装着部が取り付けられた支持アームと、
前記装着部が、前記レンズ支持部が配置された下方向である第１方向と、装置に対して操作者が位置する前方向又は上方向である第２方向と、に向くように、前記支持アームを前記基準軸の直交方向に延びる軸を中心にして回転可能に保持する移動アームであって、前記基準軸の方向である上下方向に移動可能にされた移動アームと、
前記装着部が第２方向から第１方向に向くように前記支持アームを回転させるために、操作者が操作するレバーであって、前記支持アームに配置され、前記装着部が第１方向に向いた後に、操作者が前記移動アームと共に前記装着部を下降させるための操作部材を兼ねるレバーと、
を有することを特徴とするカップ取り付けユニットを有する装置。
【請求項６】
請求項４又は５のカップ取り付けユニットを有する装置において、
前記カップ取り付けユニットは、前記移動アームを上方向に付勢する第１付勢手段と、前記装着部が第１方向から第２方向に向くように、前記支持アームを回転させる付勢力を与える第２付勢手段と、前記装着部が第１方向を向くように前記支持アームが回転されたときに、前記装着部の中心が前記基準軸上に位置するように前記支持アームの回転を制限する制限手段と、を有することを特徴とするカップ取り付けユニットを有する装置。
【請求項７】
請求項６のカップ取り付けユニットを有する装置において、
前記第１付勢手段の付勢力は、前記第２付勢手段の付勢力より大きいことを特徴とするカップ取り付けユニットを有する装置。
【請求項８】
請求項４〜７のいずれかのカップ取り付けユニットを有する装置において、
前記レバーは、前記装着部が第１方向を向いているときに略水平方向に延びるように配置されていることを特徴とするカップ取り付けユニットを有する装置。
【手続補正２】
【補正対象書類名】明細書
【補正対象項目名】発明の名称
【補正方法】変更
【補正の内容】
【発明の名称】カップ取り付けユニットを有する装置
【手続補正３】
【補正対象書類名】明細書
【補正対象項目名】０００１
【補正方法】変更
【補正の内容】
【０００１】
本発明は、眼鏡レンズの表面に加工治具であるカップを取り付けるためのカップ取り付けユニットを有する装置に関する。
【手続補正４】
【補正対象書類名】明細書
【補正対象項目名】０００８
【補正方法】変更
【補正の内容】
【０００８】
上記課題を解決するために、本発明は以下のような構成を備えることを特徴とする。
（１）  本開示の第１態様に係るカップ取り付けユニットを有する装置は、眼鏡レンズの表面に加工治具であるカップを取り付けるためのカップ取り付けユニットを有する装置であって、レンズチャック軸に保持された眼鏡レンズの周縁を加工する加工具を有するレンズ加工機構が配置された筐体を有する加工装置本体と、前記筐体に配置されたディスプレイと、前記ディスプレイの画面を次の作業工程の画面に切換える切換え信号を入力する信号入力手段と、前記ディスプレイの画面の表示を制御する制御手段であって、前記切換え信号の入力に基づき、前記カップ取り付けユニットによるカップの取付け作業段階を示す画面から、前記レンズ加工機構によるレンズの加工を実行可能な段階に移行したことを示す画面へ切換える制御手段と、を備えることを特徴とする。
（２）  本開示の第２態様に係るカップ取り付けユニットを有する装置は、眼鏡レンズの表面に加工治具であるカップを取り付けるためのカップ取り付けユニットを有する装置において、前記カップ取り付けユニットは、上下方向に延びる基準軸上にレンズを支持するために配置されたレンズ支持部と、カップの基部が装着される装着部が取り付けられた支持アームと、前記装着部が、前記レンズ支持部が配置された下方向である第１方向と、装置に対して操作者が位置する前方向又は上方向である第２方向と、に向くように、前記支持アームを前記基準軸の直交方向に延びる軸を中心にして回転可能に保持する移動アームであって、前記基準軸の方向である上下方向に移動可能にされた移動アームと、前記装着部が第２方向から第１方向に向くように前記支持アームを回転させるために、操作者が操作するレバーであって、前記支持アームに配置され、前記装着部が第１方向に向いた後に、操作者が前記移動アームと共に前記装着部を下降させるための操作部材を兼ねるレバーと、を有することを特徴とする。